(57)【要約】【課題】従来、床暖房温水マットを折畳むための折り曲げ部は小根太から離れた位置に形成され、マットを折畳んだ際に、発泡スチロール等の比較的脆い素材で構成されるボードの隅角部等が無防備な外表部となり、持ち運び等の際のちょっとした衝撃にも欠け落ちたりする重大な損傷にも連ながり易い問題があった。【解決手段】床暖房温水マットを折畳んだ際、折畳み側端縁部に各ボードに嵌装された側小根太４が来るようにし、放熱管を敷設した面を内側にして各末端ボードを折り曲げ、連接ボードを巻き込むように折り畳んで、放熱管、放熱シートが折畳みの内側に巻き込まれて外部衝撃から保護されるようにした。【選択図】図１１
2010060170.tif 000002
【特許請求の範囲】
【請求項１】
複数の単位ボードを並列し小根太を嵌装して構成したベースボードの表面に放熱管を敷設し、放熱シートを覆装した床暖房温水マットにおいて、基端ボードの下端辺に、接合部において谷折り可能に小根太を沿設した上端辺を接合する１若しくは複数の連接ボードを順次接合して構成したベースボードを、末端のボードを巻き込むようにして順次基端ボード上に折り畳めるように構成したことを特徴とする床暖房温水マット
【請求項２】
基端ボードの下端辺に、接合部において谷折り可能に小根太を沿設した上端辺を接合する１若しくは複数の連接ボードを順次接合して構成し、末端のボードを巻き込むようにして順次基端ボード上に折畳めるように構成したボードユニットを横並びにし、一方の基端ボードの右側辺と他方の基端ボードの左側辺を山折り可能に接合したことを特徴とする床暖房温水マット
【請求項３】
各基端ボード裏面下端部の、連接ボードの折り畳み重合厚に対応する幅員を置いた部位に、下端縁に沿って割溝を形成するようにしたことを特徴とする請求項１又は請求項２記載の床暖房温水マット
【請求項４】
割溝を、所定間隙幅の隙間とし、割溝が拡開されると破断する破断部を残し、隙間の先端を温水マットの裏面から表面に向かってＶ字形に形成するようにしたことを特徴とする請求項３記載の床暖房温水マット
【請求項５】
複数の単位ボードを並列し小根太を嵌装して構成したベースボードの表面に放熱管を敷設し、放熱シートを覆装した床暖房温水マットにおいて、基端ボードの下端辺に、接合部において谷折り可能に小根太を沿設した上端辺を接合する１若しくは複数の連接ボードを順次接合して構成したベースボードを、末端のボードを巻き込むようにして順次基端ボード上に折り畳むことを特徴とする床暖房温水マットの折り畳み方法
【請求項６】
基端ボードの下端辺に、接合部において谷折り可能に小根太を沿設した上端辺を接合する１若しくは複数の連接ボードを順次接合して構成し、末端のボードを巻き込むようにして順次基端ボード上に折畳めるように構成したボードユニットを横並びにし、一方の基端ボードの右側辺と他方の基端ボードの左側辺を山折り可能に接合したベースボードを、それぞれのボードユニットを末端のボードを巻き込むようにして順次基端ボード上に折り畳んだ後、横並びに接合したボードユニットを両基端ボードの裏面を内側にして折り重ねることを特徴とする床暖房温水マットの折り畳み方法
【請求項７】
基端ボード裏面下端部の、折り畳みによって重なったボードの重合厚に対応する幅員を置いた部位に、下端縁に沿って割溝を形成し、ボードユニットを末端ボードから折り曲げ、連接ボードを基端ボード上に巻き込むように折り畳むと共に、基端ボード裏面の割溝を拡開して前記折り畳みによって重なったボードの重合厚を、基端ボード下端内側部と拡開した割溝の内側部に格納するように構成した請求項５又は請求項６記載の床暖房温水マットの折り畳み方法
【発明の詳細な説明】
【技術分野】
【０００１】
本発明は、補強用の小根太を嵌装して放熱管を敷設した複数のボードを折り畳み可能に並列して構成した床暖房温水マットとこれをコンパクトに梱包等するための折り畳み方法に関するものである。
【背景技術】
【０００２】
従来、住居用床暖房温水マットの放熱配管は、配管経路溝を刻設した発泡スチロール（発泡ポリスチレン重合体）のベースボードに耐熱樹脂を素材とした放熱管を嵌装配管し、その上面に放熱シート（アルミシート等）を全面に渡って張設した温水マットを対象室内に敷設し、室内全面にフローリング等の床仕上げ材を固定する工法が行われてきている。
【０００３】
このような工法に用いられる床暖房温水マットは、放熱管が敷設される側の面に熱が均一に行き渡るように、ベースボードの放熱管敷設面をアルミ箔等の放熱シートで被覆し、折り畳みが可能なように複数のボードを組み合わせた構造となっているが、放熱管はボードを構成する発泡スチロールと放熱シートの間に挟まれて固定され、折り畳んだ際の外側に放熱管がはみ出したり、屈折して損傷し易いものとなっている。
【０００４】
このような問題に対応するため、折畳部において放熱管を斜交させると共に、折り畳んだ際に放熱管がボードに収容される斜め方向に収容溝を形成する方法（特許文献１）や、折畳部において斜交する放熱管に沿って放熱管敷設溝をボード表面に設ける方法（特許文献２）が開示されている。
【０００５】
更に、床暖房温水マットは、ベースボードを床上に配置してボードに嵌装された小根太に釘を打ち付けたりしてマットを床に固定して敷設するものであり、複数の小根太がボードの長手方向の一部分に小根太が存在しない部分を残して間隔を隔てて並設され、放熱管が小根太が存在しない部分を通過するように構成されるが、折り畳みのための折り曲げ部を小根太から離れた位置に、小根太の長手方向に沿わせて形成する方法（特許文献３）が開示されている。
【特許文献１】特開２００５−２４２０６号公報
【特許文献２】特開２００５−２２６９７７号公報
【特許文献３】特開２００５−３３７６３８号公報
【発明の開示】
【発明が解決しようとする課題】
【０００６】
上記のように、従来の床暖房温水マットを折畳むための折り曲げ部は小根太から離れた位置に形成され、マットを折畳んだ際に、発泡スチロール等の比較的脆い素材で構成されるボードの隅角部等が無防備な外表部となり、持ち運び等の際の衝撃で欠け落ちたりする重大な損傷にも連ながり易い問題があった。
【０００７】
また、折畳時にボードの厚みによって浮かび上がる部分や隙間が生じることを回避するため、山折り、谷折りの順で交互に折畳むようにボードの接続部分に折畳部が設けられるが、谷折りとなる折畳部では折畳んだ際の外側に放熱管がはみ出して損傷し易い問題がある。
【０００８】
更に、放熱管敷設経路のパターンは基端ボードに形成した回流ポートの熱源接続口を起点として、１又は複数本の放熱管敷設溝がそれぞれ一筆書き状に屈曲して終端が再び回流ポートの熱源接続口に帰着するものであるが、マットを構成する１枚のベースボード上に敷設溝を屈曲させて平行部の間隔を詰め、放熱管敷設溝を高密度に刻設するため、ボード全体の堅牢性を維持するのが困難となり中央部に小根太を嵌装して補強するほか、上下の敷設溝屈曲部に小根太に断続する小小根太を嵌装して補強しなければならないという問題がある。
【課題を解決するための手段】
【０００９】
本発明は上記した課題に対応しようとするものであり、床暖房温水マットを折畳んだ際、折畳部に露出する放熱管、放熱シートの損傷や、ボードの隅角部の破損を回避できるように、基端ボードの下端辺に、接合部において谷折り可能に小根太を沿設した上端辺を接合する連接ボードを順次接合してベースボードを構成し、末端のボードを巻き込むようにして順次基端ボード上に折り畳めるように構成し、基端ボードの下端辺と小根太を沿設した連接ボードの上端辺の接面部を折り曲げ部に構成して、最下辺の末端ボードから巻き上げて折り畳むように構成したものである。
【００１０】
また、床暖房温水マットの敷設面積が大きくなる場合には、基端ボードの下端辺に、接合部において谷折り可能に小根太を沿設した上端辺を接合した連接ボードを順次接合し、末端のボードを巻き込むようにして順次基端ボード上に折畳めるように連接した上記ベースボードをボードユニットとして構成する。
【００１１】
このボードユニットを横並びに連接して、隣接するボードユニット間を互いの基端ボードの側辺部において接合してベースボードを構成すると共に、放熱管を敷設したベースボードの表面を内側にして各末端ボードから連接ボードを巻き込むように折り曲げ、基端ボード上に折り畳んだ後、各ボードユニットを重合した横並びの両基端ボードを裏面を内側にして折り重ねるようにすることにより、単位ボードの横幅を越えて横幅の広い床暖房温水マットの構成を可能にした。
【００１２】
ベースボードをこのように構成することにより、床暖房温水マットを折畳んだ際、折畳み側端縁部に各ボードに嵌装された小根太（側小根太）が来ることになり、放熱管を敷設したベースボードの表面を内側にして各末端ボード折り曲げ、連接ボードを巻き込むように基端ボード上に折り畳まれるので、放熱管、放熱シートは折畳みの内側に巻き込まれて外部衝撃から保護される。
【００１３】
また、各基端ボード裏面下端部の、折り畳みによって重なったボードの重合厚に対応する幅員を置いた部位に、下端縁に沿って割溝を形成するようにし、折畳時にボードの折り重ねによって発生する重合厚を折畳端縁と割溝の曲折によって包摂し、厚みによって浮かび上がる部分や隙間が包まれるようにした。
【００１４】
更に、割溝を、所定間隙幅の隙間とし、割溝が拡開されると破断する破断部を残し、隙間の先端を温水マットの裏面から表面に向かってＶ字形に形成するようにして、ボードの折り重ね重合厚を吸収するコの字形屈曲部の形成をし易くすると共に、曲角部の形状が整えられるようにしたものである。
【実施例】
【００１５】
以下、本発明の実施例を図面を参照して説明する。
先ず、図１に示すシングル形態の床暖房温水マットの実施例について説明すると、１は発泡スチロールで構成されたベースボードで、表面に回流ポートＰの熱源接続口に連結する加熱送出端１ｐを起点として、２本の放熱管敷設溝２が放熱管敷設経路のパターンによりそれぞれ一筆書き状に屈曲して回帰終端２ｐが再加熱のために再び回流ポートＰの熱源接続口に帰着するように刻設されている。
なお、放熱管敷設溝２は放熱管２１を収容してベースボード上に敷設するもので、２本に限らず１本でも良いことは勿論である。
【００１６】
ベースボード１は、側端から上記により刻設された放熱管敷設溝２の回曲部２ｂ付近まで中央部の平行放熱管敷設溝２ａに沿って小根太３を嵌装した基端ボード１ａ、同様の小根太３及び小根太の対向側端から放熱管敷設溝２の回曲部２ｂ付近までの側端部に側小根太４を嵌装し幅員が上記基端ボード１ａより広い連接ボード１ｂ、１１ｂ、幅員が上記各ボードの略半分で上記同様の側小根太４を嵌装した末端ボード１ｃを縦に順次並列して構成されている。
【００１７】
上記並列する各ボード及び嵌装小根太は、放熱管敷設溝２に放熱管２１が収容された後にベースボード１の表面に張設される放熱シート５だけで接合され、放熱シート５の柔軟性によってボードの表面側に自由に折り曲げられるようになっており、基端ボード１ａの裏面に形成された割溝６がボードの折り重ね重合厚を吸収する屈曲部の形成時に拡開され溝底が断裂されても放熱シート５によって繋がりが保たれる。
【００１８】
以上のように構成されたベースボード１は、表面を内側にして末端ボード１ｃから連接ボード１ｂ、１１ｂを巻き込むように折り曲げ、基端ボード１ａ上に折り畳み、折り畳んだボードの重合厚に対応して基端ボード１ａ裏面下端部の、下端縁に沿って形成した割溝６を拡開して基端ボード１ａ上に折り畳まれたボードの重合厚を図３に示すように屈曲させて包み込むことによって床暖房温水マットの折畳めるように構成したものである。なお、割溝６はボードの重合厚が少ない場合には設ける必要はない。
【００１９】
図７、８は、上記ベースボード１と同様に構成したボードユニットを１Ａ、１Ｂとして横並びに連接して、隣接するボードユニット１Ａ、１Ｂ間を互いの基端ボード１ａの側辺部において接合してベースボード１を構成する実施例を示すもので、ボードユニット１Ａ、１Ｂは、それぞれ、基端ボード１ａ、連接ボード１ｂ、１１ｂ、末端ボード１ｃを各ボードの長手方向に沿って縦上下に並列して構成され、１Ａと１Ｂを横並びにして両ボードユニット間の基端ボード１ａ、１１ａの間を側辺部において裏面を内側にして折り曲げ可能に接合し、放熱シート５で被覆してベースボード１が構成されている。
【００２０】
ベースボード１の表面には放熱回流する放熱管敷設経路パターンに沿って放熱管敷設溝２が刻設され、その敷設溝２に耐熱樹脂を素材とした放熱管２１を嵌装配管し、各ボードユニットの上面にそれぞれ放熱シート５が全面に渡って張設され、放熱シート５の張設により各ボードがユニットとしてそれぞれ一体化されるようになっている。
【００２１】
放熱管２１の敷設経路パターンは、図４に１例として示すようにベースボード１の表面に、回流ポートＰの熱源接続口に連結する加熱送出端１ｐから各単位ボードユニット１Ａ、１Ｂの外郭と嵌装小根太３（中小根太）、側小根太４を一筆書き状に周回して順次内郭に周回してユニット各段に回流する２系統の敷設経路パターンに沿って放熱回流して回帰終端２ｐが再加熱のために再び回流ポートＰの熱源接続口に帰着する形態で設定されており、回流するための屈曲部を除いて略平行並列状態に設定される。
【００２２】
また、放熱管敷設溝２の回曲部２ｂは連接される各ボードの接合端縁に対して斜交するように形成され、更に、ボード折曲げ部に敷設嵌装される放熱管２１の交差部敷設溝は他の嵌装部より容積の大きい拡幅溝２３に構成し、溝内に嵌入されボードの折曲げによる放熱管２１の歪曲ストレスを余白スペースに逃がして吸収するようにし、ベースボード１の折畳みによって放熱管２１に無理な負担が掛からないように構成される。
【００２３】
基端ボード１ａは回流ポートＰを備え、回流ポートＰの対向側端から放熱管敷設溝２の回曲部２ｂ付近まで中央部の平行敷設溝２ａに沿って中小根太３が嵌装され、下端辺には連接ボード１ｂの上端辺が放熱シート５の張設により曲折可能に接合される。また、回流ポートＰの対向側辺には基端ボード１１ａの側辺が裏面を内側にした山折り可能な曲折構造により接合される。
【００２４】
連接ボード１ｂの上端辺には同辺に沿って側小根太４が嵌装され、この側小根太４は基端ボード１ａの中小根太３と対向して両側からベースボード１を支持する形となる。更に、連接ボード１ｂの中央部放熱管敷設溝２ａに沿って中小根太３が嵌装され、連接ボード１ｂの下端辺には連接ボード１１ｂの上端辺が放熱シート５の張設を介して曲折可能に接合され、連接ボード１１ｂの下辺には上辺に沿って側小根太４が嵌装された末端ボード１ｃが放熱シート５の張設を介して曲折可能に接合される。
【００２５】
末端ボード１ｃの側小根太４は基端ボード１ａの中小根太３と対向して両側からベースボード１を支持する形となる。なお、側小根太４は折畳み時に隅角部の補強として各ボードの側縁に沿って配設されるが、中小根太３は各構成ボードの大きさに対応して適宜配設されるものである。
【００２６】
以上のように構成された連接床暖房温水マットを搬送等のために折畳むには、図９に示すように、基端ボードの側辺部において接合して横並びに連接しているボードユニット１Ａと１Ｂを適宜角度に折曲げ、表面を内側にして各末端ボード１ｃ、１１ｃから順次折り曲げて連接ボード１ｂ、１１ｂを基端ボード１ａ、１１ａ上に巻き込むように折り畳んだ後、各ボードユニットを折畳重合した横並びの両基端ボード１ａ、１１ａを裏面を内側にして折り重ねる。
【００２７】
なお、図９では図示の関係で、下から折りあげる前にボードユニット１Ａと１Ｂの基端ボード１ａ、１１ａを山折りにしてユニット１Ａ、１Ｂの先端を広げた状態で巻き上げるように折畳んでいるが、これはユニット１Ａと１Ｂが基端ボード１ａと１１ａの側辺のみで接合されており、他の部分は切り離され別体となっていることを示すもので、実際に折畳重合するときは横並びに並列した状態のままで、下から折りあげていくものである。
【００２８】
各基端ボード裏面下端部の、折り畳みによって重なったボードの重合厚に対応する幅員ｈを置いた部位には、下端縁に沿って割溝６が形成されているので、各末端ボード１ｃ、１１ｃから順次折り曲げて連接ボード１ｂ、１１ｂを基端ボード１ａ、１１ａ上に巻き込むように折り畳んだ後、前記割溝６を拡開して折曲げ、１ａ、１ｂのボード端縁、１１ａ、１１ｂのボード端縁と各割溝６によって形成されるコの字形折り畳みによって重なったボードの重合厚を、各基端ボード１ａ、１１ａ下端内側部と拡開した割溝６の内側部に格納して折畳みの外表部形状が整えられる。
【００２９】
また、割溝６は、所定間隙幅の隙間ｓとし、割溝が拡開されると破断する破断部ｇを残し、隙間の先端を温水マットの裏面から表面に向かってＶ字形に形成するようにして、ボードの折り重ね重合厚を吸収するコの字形屈曲部が形成をし易くなっており、曲角部の形状も整えられるようになっている。
【００３０】
以上のようにして折畳んで梱包された温水マットは、そのまま保管、或いは敷設現場に搬送され、現場で前記手順と逆の手順で温水マットを広げて簡単に原形に復することができ、対象室内に敷設する際には、拡開した割溝６は溝幅を残して閉縮し、折畳み前の原状態に回復するので、折畳みによるボード等の損傷を最小限に留めることができる。
【００３１】
本発明は以上のように構成したので、敷物状に広がって嵩張るマットをコンパクトに折畳むことができ、折畳む際の屈折部と交差する部分に嵌入されている放熱管に対する無理な屈曲や屈折を避けることができると共に、折畳みによって外表部に現れるボード隅角部に側小根太が補強されて堅牢な折畳形態に構成することができたものである。
【図面の簡単な説明】
【００３２】
【図１】本発明の実施例を示すもので、ベースボードを構成する各ボードの配列と、ベースボードの表面に形成された敷設経路及びこれに沿って配管された放熱管と補強設定された小根太の状况と、基端ボードの裏面に形成された割溝の関係を示す床暖房温水マット表面の全体平面図
【図２】同じく、ベースボードを構成する各ボードの配列と、折曲げ部及び小根太、側小根太の関係を簡潔に示すため、放熱管敷設溝の表示を省略してベースボードの全体構成を示した床暖房温水マット表面の全体平面図
【図３】同じく、末端ボードから巻き込むように連接ボードを基端ボード上に折畳んだ状態のボードの重合関係を示す折畳端縁部分の拡大斜視図
【図４】同じく、基端ボードの小根太、基端ボードに接合して連接される連接ボードの側小根太と割溝の関係を示す基端ボードと連接ボードの端面接合部の拡大平面図
【図５】同じく、基端ボードの小根太、基端ボードに連接する連接ボードの側小根太と割溝、放熱シートの関係を示す図４のＡ−Ａ断面図
【図６】同じく、ボード折畳み厚を包摂する折曲げを形成する割溝の構造を示す割溝の断面図
【図７】本発明の他の実施例を示すもので、単位ボードを連接したボードユニットを横並びに連接して、横並びに隣接するボードユニット間を互いの基端ボードの側辺部において接合してベースボードを構成した実施例におけるベースボードを構成する各ボードの配列と、ベースボードの表面に形成された敷設経路及びこれに沿って配管された放熱管と補強設定された小根太の状况と、基端ボードの裏面に形成された割溝の関係を示す床暖房温水マット表面の全体平面図
【図８】図７の実施例における、ベースボードを構成する各ボードの配列と、折曲げ部及び小根太、側小根太の関係を簡潔に示すため、放熱管敷設溝の表示を省略してベースボードの全体構成を示した床暖房温水マット表面の全体平面図
【図９】同じく、図７の実施例における、横並びに連接されたボードユニット間の接合、折り曲げ構造を示すため一部を折り曲げ、或いは折畳んだ状態ととした床暖房温水マットの全体斜視図
【図１０】同じく、図７の実施例における、ベースボードの折畳み状況を示すもので各ボードユニットの連接ボードをそれぞれの基端ボード上に折畳んで側辺接合部を山折りに折畳む直前状態を示す床暖房温水マットの全体斜視図
【図１１】同じく、図７の実施例における、ベースボード折畳み完了時における折畳み端縁の状態を示す折畳み端縁部の拡大斜視図
【符号の説明】
【００３３】
１      ベースボード
１Ａ    ボードユニット
１Ｂ    連接ボードユニット
１ａ    基端ボード
１１ａ  連接ボードユニットの基端ボード
１ｂ    連接ボード
１１ｂ  第２連接ボード
１２ｂ  連接ボードユニットの連接ボード
１３ｂ  連接ボードユニットの第２連接ボード
１ｃ    末端ボード
１１ｃ  連接ボードユニットの末端ボード
２      放熱管敷設溝
２ａ    放熱管敷設溝中央部の平行部
２ｂ    放熱管敷設溝の回曲部
２１    放熱管
２３    ボード折曲げ部と放熱管との交差部における放熱管敷設拡幅溝
３      小根太
４      側小根太
５      放熱シート
６      割溝
１ｐ    送湯放熱管の熱源接続口
２ｐ    回帰放熱管の熱源接続口
Ｐ      熱源接続ポート
ｈ      割溝が設定されるボード重合厚に対応する幅員
ｓ      割溝に所定間隙幅で構成される隙間
ｇ      割溝の隙間底部に構成される破断部
【図１】
2010060170.tif 000003
【図２】
2010060170.tif 000004
【図３】
2010060170.tif 000005
【図４】
2010060170.tif 000006
【図５】
2010060170.tif 000007
【図６】
2010060170.tif 000008
【図７】
2010060170.tif 000009
【図８】
2010060170.tif 000010
【図９】
2010060170.tif 000011
【図１０】
2010060170.tif 000012
【図１１】
2010060170.tif 000013